(57)【要約】【課題】吸液部材を介して供給される溶液を揮散体の広範囲に均一に浸透・拡散させることができ、溶液の揮散性を持続安定させることができる揮散器を提供する。【解決手段】溶液１２を収容する容器１１と、溶液１２に浸漬される吸液部材１３と、吸液部材１３を介して溶液１２が供給され、溶液１２を揮散させる揮散体１４と、を備え、揮散体１４は、平織、綾織及び朱子織から選ばれる何れかの織物からなることを特徴とする揮散器１０。【選択図】図１
2007130439.tif 000002
【特許請求の範囲】
【請求項１】
溶液を収容する容器と、前記溶液に浸漬される吸液部材と、前記吸液部材を介して前記溶液が供給され、前記溶液を揮散させる揮散体と、を備える揮散器であって、
前記揮散体は、平織、綾織及び朱子織から選ばれる何れかの織物からなることを特徴とする揮散器。
【請求項２】
前記揮散体の厚さは、１４５μｍ〜３２０μｍであることを特徴とする請求項１に記載の揮散器。
【請求項３】
前記揮散体は、朱子織からなることを特徴とする請求項１又は２に記載の揮散器。
【請求項４】
前記揮散体は、少なくとも一部が花形状を有することを特徴とする請求項１〜３のいずれかに記載の揮散器。
【請求項５】
香料を含む溶液を収容する容器と、前記溶液に浸漬される吸液部材と、前記吸液部材を介して前記溶液が供給され、前記溶液を揮散させる揮散体（平織、綾織及び朱子織をも含む）と、を備える揮散器に使用される香料であって、
前記香料が、下記の条件を満たすことを特徴とする揮散器用の香料。
条件：１）香質及び香りの強度の官能評価
２）目視による液性状
３）ＰＨメータにて測定されるＰＨ
４）白濁化剤が含有されている場合に、１ｃｍ×１ｃｍの石英セルに滴下して波長７００ｎｍの光を照射した際の透過光を検出して測定される透過率
５）分光光度計にて測定される吸光度
【請求項６】
請求項１〜４に記載の揮散器に用いる溶液であって、
アルキレングリコールを含有することを特徴とする溶液。
【発明の詳細な説明】
【技術分野】
【０００１】
本発明は、揮散器に関し、特に、溶液の浸透性・拡散性がよく、揮散性を持続安定させることができる揮散体を備える揮散器に関する。
【背景技術】
【０００２】
従来、吸液部材（吸液芯）と揮散体（蒸発部）とを有し、溶液中の揮発成分を揮散させる揮散器が知られている（例えば、特許文献１参照）。
【０００３】
上記特許文献１に記載の揮散器は、溶液を収容する容器と、容器上部の開口部で中栓によって保持され、容液を吸い上げる吸液部材と、吸液部材の上部に位置し吸い上げた溶液を放散させる揮散体と、を備え、揮散体の一部又は全部を布又はプラスチック製の造花で覆われている。
【０００４】
【特許文献１】登録実用新案第３０９５０９８号公報
【発明の開示】
【発明が解決しようとする課題】
【０００５】
しかしながら、特許文献１に記載の揮散器では、揮散体の一部又は全部が布又はプラスチック製の造花で覆われているため、吸液部材を介して供給される溶液の揮散性が十分ではなく、改善の余地があった。
【０００６】
本発明は、上述した事情に鑑みてなされたものであり、その目的は、吸液部材を介して供給される溶液を揮散体の広範囲に均一に浸透・拡散させることができ、溶液の揮散性を持続安定させることができる揮散器を提供することにある。
【課題を解決するための手段】
【０００７】
本発明の上記目的は、下記の構成により達成される。
（１）  溶液を収容する容器と、溶液に浸漬される吸液部材と、吸液部材を介して溶液が供給され、溶液を揮散させる揮散体と、を備える揮散器であって、揮散体は、平織、綾織及び朱子織から選ばれる何れかの織物からなることを特徴とする揮散器。
（２）  揮散体の厚さは、１４５μｍ〜３２０μｍであることを特徴とする（１）に記載の揮散器。
（３）  揮散体は、朱子織からなることを特徴とする（１）又は（２）に記載の揮散器。
（４）  揮散体は、少なくとも一部が花形状を有することを特徴とする（１）〜（３）のいずれかに記載の揮散器。
【０００８】
そして、香料を含む溶液を収容する容器と、溶液に浸漬される吸液部材と、吸液部材を介して溶液が供給され、溶液を揮散させる揮散体（平織、綾織及び朱子織をも含む）と、を備える揮散器に使用される香料であって、この香料としては、１）香質及び香りの強度の官能評価、２）目視による液性状、３）ＰＨメータにて測定されるＰＨ、４）白濁化剤が含有されている場合に、１ｃｍ×１ｃｍの石英セルに滴下して波長７００ｎｍの光を照射した際の透過光を検出して測定される透過率、５）分光光度計にて測定される吸光度、の条件について、以下の基準をそれぞれ満たすものが好適である。
基準：１）３ヶ月間で、著しい香質の変化が起こらないこと。
２）３ヶ月間で、沈殿物、異物の発生がなく、透明性が維持されること。
３）３ヶ月間で、初期値に対する変動幅が±１であること。
４）３ヶ月間で、透過率が５〜３０Ｔ％であること。
５）３ヶ月間で、初期値に対する変動幅が±１０であること。
【０００９】
また、（１）〜（４）に記載の揮散器に用いる溶液であって、アルキレングリコールを含有することを特徴とする溶液。
【発明の効果】
【００１０】
本発明の揮散器によれば、揮散体として、平織、綾織及び朱子織から選ばれる何れかの織物とすることで、吸液部材を介して供給される溶液を揮散体の広範囲に均一に浸透・拡散させることができ、溶液の揮散性を持続安定させることができる。また、アルキレングリコールを含有する溶液を用いることで、香料等の揮散をより持続させることができる。
【発明を実施するための最良の形態】
【００１１】
以下、本発明に係る揮散器の各実施形態について、図面を参照して詳細に説明する。
【００１２】
（第１実施形態）
まず、図１〜図４を参照して、本発明に係る揮散器の第１実施形態を説明する。
図１は本発明に係る揮散器の第１実施形態を説明するための正面図、図２は図１に示す揮散体の組織図、図３は揮散体の第１変形例を示す組織図、図４は揮散体の第２変形例を示す組織図である。
【００１３】
本実施形態の揮散器１０は、図１に示すように、揮散成分を含有する溶液１２を収容する容器１１と、溶液１２に浸漬される吸液部材１３と、吸液部材１３を介して溶液１２が供給され、溶液１２の揮散成分を揮散させる揮散体１４と、を備えている。
【００１４】
容器１１は、樹脂のブロー成形によって薄肉状で中空の壷形状に形成されていて上方が開放されており、この開放部分にキャップ１５がねじ込まれることで開放部分が閉塞される。そして、キャップ１５の中央部には、長尺の円柱状に形成された吸液部材１３が嵌挿されており、この吸液部材１３は、下端部が溶液１２に浸漬されて容器１１の内部底面に接近又は接触した状態で配され、上端部がキャップ１５から外部に露呈した状態で配置される。なお、容器１１の材質としては、例えば、ポリプロピレン、ポリエチレン、ポリエチレンテレフタレート、ガラス、陶器等を挙げることができる。
【００１５】
溶液１２は、揮散成分や色素等を含有し、本実施形態では、溶液１２の全容量を１３０ｍｌとして、揮散成分である芳香成分３重量％、色素である水溶性色素０．０１重量％を含有する。また、溶液１２は、これら揮散成分と色素とを１．０重量％の界面活性剤を添加して、溶媒（脱イオン水、アルコール系溶媒等）に溶解させている。なお、芳香成分は１〜５重量％、水溶性色素は０．０００１〜０．１重量％、界面活性剤は０．１〜５重量％の範囲で調整可能である。
【００１６】
芳香成分（香料）としては、水性、油性のいずれでもよく、例えば、ツバキ、バラ、キク、マツ、スギ、オオバコ等から得られるエキス、ハッカオイル、ペパーミントオイル、ユーカリオイル、ティーツリーオイル、ラベンダーオイル、ローズマリーオイル、ベルガモットオイル、ボアドローズ、薄荷オイル、リセアキュベバ、マジョラムオイル、スペアミントオイル、α−ピネン、青葉アルコール、青葉アルデヒド、ゲラニオール、サビネン、リナロール、テルピネオール、ラズベリーケトン、クミンアルデヒド、ヒノキチオール、シトロネロール、シトロネラール、１，８−シネオール、ボルネオール、α−カジオール、Ｌ−メントール、チモール、シトラール、バニリン、ベンズアルデヒド、安息香酸、カンファー、リナリルアセテート、フローラル、イグサ、ヒノキ、シトロネラ、レモン、レモングラス、オレンジ等の植物精油、この他、合成香料、調合香料、フィトンチッド等を挙げることができる。具体的には、ローズ、フルーティフローラル、フローラルシトラス、サクラ、梅の花、水仙（長谷川香料社製）；ローズ、ローズフローラル、フルーティフローラル、サクラ、モモ、ツバキ、ラン、スズラン、キキョウ、グリーンアップル、ラズベリー（小川香料社製）；フルーティフラワー、ホワイトフラワー、クリスマス（塩野香料社製）；クールフローラル、アクアフローラル、ミントフローラル、ＳＡＫＵＲＡ、緑茶、ＳＮＯＷ（高砂香料社製）；サクラ、ＴＵＴＵＪＩ、ＴＵＢＡＫＩ、ＭＵＧＵＥＴ[スズラン]、ＯＲＣＨＩＤ、クリスマス（稲畑香料社製）等を挙げることができる。これらの具体的に挙げた芳香成分は、香りの持続性、安定性に優れており、本発明の揮散器に好適なものである。また、少なくとも１カ月〜３ヶ月間香りの安定性が持続することが確認済みである。
【００１７】
揮散成分としては、芳香成分の他に、例えば、消臭成分、忌避成分、医薬品成分、化粧品成分、殺虫成分、殺菌成分、殺ダニ成分、アロマテラピー等に用いる成分等の薬剤（薬液）を挙げることができる。具体的には、緑茶抽出エキス（例えば、カテキン、タンニン、ポリフェノール等）、グレープフルーツエキス、柿抽出エキス、シソ抽出エキス、マッシュルームエキス、竹抽出エキス、シャンピニオンエキス、納豆抽出エキス、除虫菊エキス等の植物抽出エキス、消臭剤（例えば、商品名「スーパーピュリエール」（松下電工社製）、商品名「フレッシュシライマツ」（白井松新薬社製）、商品名「スメラル」（環境科学開発社製）、商品名「パンシル」（リリース科学社製））、メタクリル酸ラウリル、メチル化サイクロデキストリン等を用いることができる。
【００１８】
色素としては、水性、油性のいずれでもよく、不揮発性で溶媒に溶けるものであればよい。具体的には、赤色１０２号、赤色２２５号、青色１号、黄色４号等の色素、タール色素、ベンガラ色素、天然色素等を挙げることができる。なお、本実施形態では、色素は溶液１２に含有されているが、これに限定されず、揮散体１４に予め含有させてもよいし、溶液１２及び揮散体１４の両方に予め含有させてもよい。
【００１９】
溶媒としては、水性、油性のいずれでもよく、例えば、精製水、脱イオン水、ケロシン、アルコール（エタノール、グリコール、メトキシブタノール等）、アルコールと水との混合溶媒等を挙げることができる。なお、溶媒の沸点は、約１００℃〜２００℃の範囲とすることが好ましい。
【００２０】
溶液１２の界面活性剤としては、非イオン系界面活性剤が好ましく、例えば、グリセリン脂肪酸エステル、ソルビタン脂肪酸エステル、ＰＯＥアルキルエーテル、ＰＯＥアルキルフェニルエーテル、ＰＥＧ脂肪酸エステル、ＰＯＥソルビタン脂肪酸エステル、ＰＯＥ硬化ヒマシ油、ＰＯＥ・ＰＯＰブロックポリマー等を用いることができ、具体的には、商品名アクチノールＨＣ−４０Ａ、商品名アクチノールＦ−７（松本油脂製薬社製）、商品名エマノーンＣＨ−６０（花王社製）、商品名ニッコールＨＣＯ５０（日光ケミカルズ社製）、商品名ＥＭＡＬＥＸ１８２０（日本エマルション社製）等が挙げられる。この他にも、ＰＯＥラウリルエーテルとスルホコハク酸ジオクチルナトリウムとの混合物等を用いることができ、具体的には、商品名マーポンＳＧ２００（松本油脂製薬社製）が挙げられる。
【００２１】
さらに、溶液１２には、アルキレングリコールを含有することができる。
例えば、エチレングリコール、プロピレングリコール、ポリエチレングリコール、ポリプロピレングリコール、ジプロピレングリコールアルキルエーテル、ジエチレングリコールアルキルエーテル等が挙げられ、プロピレングリコール、ジプロピレングリコールメチルエーテルが好ましい。
これらのアルキレングリコールを溶液１２に配合することで、香料等の揮散成分の持続期間を延長したりして目標とする持続期間を調整することができる。
例えば、本発明の揮散体の総揮散面積が３００〜５００ｃｍ２、厚さ１４５〜３２０μｍである場合には、香料等の揮散成分の揮散を２倍程度まで持続化させるには、溶液中にアルキレングリコールを１〜１０重量％配合させればよい。
【００２２】
吸液部材１３は、材質がポリプロピレン・ポリエチレン複合繊維で、芯径をφ７ｍｍ、長さを７ｃｍ、気孔率を約７０％としている。また、吸液部材１３は、揮散体１４に供給する溶液１２の量を調整可能であり、揮散体１４は、供給された溶液１２によって着香及び着色した箇所が模様として識別できるように構成される。つまり、溶液１２は、吸液部材１３に吸収され、吸液部材１３と揮散体１４が接触する箇所を介して揮散体１４に供給される。そして、揮散体１４において、供給された溶液１２に含まれる、不揮発性の色素を除く、芳香成分（揮散成分）及び溶媒が揮発すると、揮散体１４における、色素が残留した着色部１６が色づく。言い換えれば、着色部１６から芳香成分が揮散していると捉えることができる。これにより、揮散体１４に基づいて揮散器１０における芳香成分の揮散状態を確認することができる。
【００２３】
吸液部材１３の材質としては、無機材料、有機材料のいずれを使用してもよいが、樹脂を使用する方が好ましい。具体的には、ポリエチレンテレフタレート、アクリル樹脂、ポリプロピレン、ポリエチレンの１種又は２種以上を挙げることができ、ポリプロピレン・ポリエチレンの複合繊維、ポリエステル、ポリアクリルがより好ましい。
【００２４】
揮散体１４は、バラの花弁形状（花形状）を模して形成されており、吸液部材１３の外部に露呈した側の端部（図１の上端部）の外周面に接触するように取り付けられている。そして、揮散体１４は、朱子織（ｓａｔｉｎ  ｗｅａｖｅ）の織物からなり、その厚さは、１４５μｍ〜３２０μｍに形成されている。なお、揮散体１４は、重量を１３０ｇ／ｍ２、総揮散面積を３８５ｃｍ２としている。
【００２５】
また、揮散体１４には、その周囲に造花である花弁部１７及び葉部１８が取り付けられており、花弁部１７は、マーガレットの花弁形状を模して形成され、葉部１８は、バラの葉形状を模して形成されている。これにより、揮散体１４は、バラの花弁形状の周りにマーガレットの花弁形状である花弁部１７及びバラの葉形状である葉部１８を配置することになり、バラを中心としたブーケ形状を形成する。
【００２６】
揮散体１４を形成する朱子織の織物は、図２（ａ）に示すように、横２飛びタイプの朱子織で、横糸２１が縦糸２２に対して横方向に２つずつの飛び数で組織点をもつものである。この横２飛びタイプの朱子織は、横糸２１と縦糸２２との交錯点が少ないため、表面に横糸２１だけが現れ、縦糸２２が目立たない。また、横糸２１が規則正しく並列に並んで浮いているように見えるため、きれいな光沢があって意匠面で優れている。なお、本実施形態では、揮散体１４を形成する織物に、横２飛びタイプの朱子織を採用した場合を示したが、これに限定されず、横３飛びタイプ（図２（ｂ）参照。）、縦２飛びタイプ（図２（ｃ）参照。）、縦３飛びタイプ（図２（ｃ）参照。）の朱子織りを採用してもよい。
【００２７】
このように構成される揮散器１０では、揮散体１４の色づく着色部１６は、揮散体１４の先端（溶液の到達した最先端）から濃く着色されていき、使用開始から所定時間（例えば９０分）経過後には揮散体１４の全体が着色される。着色部１６の形状（模様）は、揮散体１４に供給される溶液１２の量に応じて面積が変化し、また、時間の経過によって大きくなる傾向にある。
【００２８】
このとき、揮散体１４に付与される模様は、揮散体１４の吸液性と溶媒の揮発性とによって形状及び形状の変化を調節することができる。つまり、溶液１２が揮散体１４に吸収され、揮散体１４の先端に行き届く前に揮発するような溶媒を用いると、溶液１２に含まれる色素が先端まで達することがない。すると、先端になる手前で濃い着色を付与することができる。この場合の揮散体１４としては、平織が特に好ましく、その厚さは、１４５μｍ〜１７０μｍとするのが好ましい。
【００２９】
一方、溶液１２が揮散するよりも先に揮散体１４の先端に達するまで吸液されると、色素は揮散体１４の先端に十分な量だけ供給されるため、揮散体１４の先端で濃い着色が付与されることとなる。つまり、色素は不揮発性であり、溶媒が揮発するまで溶媒とともに吸液部材１３及び揮散体１４の内部を移動する。従って、吸液速度と揮発速度とを適宜調整することで、揮散体１４に付与される模様を決定することができる。この場合の揮散体１４としては、朱子織及び綾織が特に好ましく、その厚さは、１７５μｍ〜２９０μｍとするのが好ましい。
【００３０】
溶液１２の溶媒は、蒸気圧又は沸点における揮発性に基づいて選択することで、揮発する速度を調整してもよい。また、吸液部材１３及び揮散体１４は、吸液速度を予め測定して材料を選択してもよい。また、吸液部材１３については、その長さや径等の寸法、材質、気孔率等に基づいて吸液する速度を調整してもよい。
【００３１】
従って、本実施形態の揮散器１０によれば、揮散体１４は、朱子織の織物からなるため、揮散体１４を構成する横糸２１及び縦糸２２を介して溶液１２を揮散体１４の広範囲に均一に浸透・拡散させることができ、溶液１２の揮散性を持続安定させることができる。
【００３２】
また、本実施形態の揮散器１０によれば、揮散体１４の厚さは、１４５μｍ〜３２０μｍに形成されるため、揮散体１４の体積（厚さ）が大きくなるので、揮散体１４を構成する横糸２１及び縦糸２２に目詰まりが生じることを防止することができる。これにより、溶液１２を揮散体１４の広範囲に均一に浸透・拡散させることができ、溶液１２の揮散性を持続安定させることができる。また、揮散体１４の吸液速度を一定にして、溶液１２の揮散性を安定化できるので、溶液１２の揮散持続性をさらに向上することができる。
【００３３】
また、本実施形態の揮散器１０によれば、揮散体１４の周りにマーガレットの花弁形状である花弁部１７及びバラの葉形状である葉部１８を配置するため、揮散体１４をバラを中心としたブーケ形状に形成することができる。これにより、揮散体１０を部屋のアクセントに利用できると共に、揮散体１０に癒しの効果を付与することができる。
【００３４】
さらに、本実施形態の揮散器１０によれば、揮散体１４は、平織、綾織及び朱子織から選ばれる何れかの織物からなるため、揮散体１４にカーテンや壁紙等の周辺物が接触したとしても、揮散体１４に浸透・拡散している溶液１２がその周辺物に移行し難いので、揮散器１０の周辺物に揮散体１４の接触によるシミが付くことを防止又は軽減することができる。
【００３５】
なお、本実施形態の第１変形例として、揮散体１４は、図３に示すように、綾織（ｔｗｉｌｌ  ｗｅａｖｅ）の織物からなる。この綾織は、綾文織とも言われ、横糸２１又は縦糸２２が２本以上並んで、横糸２１や縦糸２２に交錯して組み合わされた組織図を有する。斜め方向に畦が現れる特徴があり、地合いが柔らかで伸びやすく皺寄りが少なく自由感がある。
【００３６】
また、本実施形態の第２変形例として、揮散体１４は、図４に示すように、平織（ｐｌａｉｎ  ｗｅａｖｅ）の織物からなる。この平織は、横糸２１と縦糸２２との交錯点が多いので組織力に優れている。また、地合いは硬いが耐久性に富み、実用性に優れる織物である。
【００３７】
（第２実施形態）
次に、図５を参照して、本発明に係る揮散器の第２実施形態を説明する。なお、第１実施形態と同等部分については同一符号を付して、その説明を省略或いは簡略化する。
図５は本発明に係る揮散器の第２実施形態を説明するための斜視図である。
【００３８】
本実施形態の揮散器２０は、図５に示すように、容器１１及びキャップ１５を箱型に形成し、キャップ１５の天面板に容器１１内部と連通する複数本の筒部２３を形成している。また、容器１１の内部に不図示の仕切り板を設けることにより複数に区画し、複数種類の溶液１２を収容している。そして、複数本の吸液部材１３を複数本の筒部２３にそれぞれ嵌挿すると共に、容器１１の複数の区画にそれぞれ配置させて、複数種類の溶液１２にそれぞれ浸漬させている。なお、筒部２３は、複数本形成されていればよく、その本数、形成位置は任意である。また、容器１１の内部は、仕切り板を設けて複数に区画しなくてもよく、その区画数、区画形状は任意である。また、溶液１２は、少なくとも１種類使用されていればよく、その種類数は任意である。また、容器１１及びキャップ１５は、キャップ１２に筒部２３を複数本形成できればよく、その形状は任意である。さらに、揮散体１４は、吸液部材１３の上端部の外周面に接触するように取り付けられていればよく、その形状、大きさは任意である。
【００３９】
従って、本実施形態の揮散器２０によれば、容器１１に複数種類の溶液１２を収容して、各溶液１２を個別に吸液部材１３に吸収させるため、揮散体１４から複数種類の溶液１２を同時に揮散することができる。これにより、複数の揮散成分を同時に揮散させることができると共に、揮散体１４に様々な色を付与することができる。
その他の構成及び作用効果は、上記第１実施形態と同様である。
【００４０】
（第３実施形態）
次に、図６を参照して、本発明に係る揮散器の第３実施形態を説明する。なお、第１実施形態と同等部分については同一符号を付して、その説明を省略或いは簡略化する。
図６は本発明に係る揮散器の第３実施形態を説明するための正面図である。
【００４１】
本実施形態の揮散器３０は、図６に示すように、容器１１及びキャップ１５を包装部材３１で包み込み、包装部材３１をキャップ１５の近傍においてリボン３２で固定している。また、キャップ１５の天面板の挿入孔（不図示）には、複数本の吸液部材１３が挿入されており、この複数本の吸液部材１３の上端部には、桜の花弁形状（花形状）を模した揮散体１４がそれぞれ取り付けられる。また、キャップ１５には、桜の葉形状を模した造花の葉部が揮散体１４の周囲に配置されるように着脱自在に取り付けられる。
【００４２】
包装部材３１としては、不織布を使用することが好適で、具体的には、綿、麻、竹、パルプ、羊毛、絹等の天然繊維、レーヨン、キュプラ、アセテート等の化学繊維、ナイロン、ポリエステル、アクリル、ビニロン、ポリプロピレン、ビニリデン、ポリウレタン等の合成繊維、ガラス繊維、金属繊維、炭素繊維等の無機繊維等の不織布を挙げることができる。
【００４３】
従って、本実施形態の揮散器３０によれば、揮散体１４は、平織、綾織及び朱子織から選ばれる何れかの織物からなり、包装部材３１は、不織布からなるため、揮散体１４と包装部材３１が接触したとしても、揮散体１４に浸透・拡散している溶液１２が包装部材３１に移行し難いので、包装部材３１にシミが付くことを防止又は軽減することができ、美観を損なうことがない。不織布としては、化学繊維、合成繊維、ガラス繊維、金属繊維、無機繊維、これらの混合繊維を用いることがよい。
その他の構成及び作用効果は、上記第１実施形態と同様である。
【００４４】
なお、本発明は、前述した各実施形態に限定されるものではなく、適宜な変形、改良などが可能である。
例えば、本実施形態では、揮散体は、朱子織、綾織、平織の何れかの織物からなるが、これに限定されず、織り方により浸透性・拡散性を微妙に異ならせたり、着色の差を持たせて外観を向上させたりするなどの目的で上記織物の２種又は３種を混合させてもよい。
また、揮散器の容器に外部から溶液を注入するための注入孔を設けてもよい。これにより、用事に溶液を注入したり、または、使用とともに溶液が不足した場合に適宜溶液を注ぎ足したりすることができる。
さらに、本実施形態では、溶液が揮散体にのみ供給されているが、これに限定されず、揮散体の周囲に設けられる花弁部及び葉部を、揮散体を形成する平織、綾織及び朱子織のいずれかの織物で形成して、これら揮散体、花弁部及び葉部のすべてに溶液を供給するようにしてもよい。
【００４５】
また、一方の端部に底を有する円筒状のカバーを、吸液部材の外周側を覆うように設けた揮散器としてもよい。これにより、用事前まで吸液部材が溶液に浸されないため揮散成分が外部に揮散されてしまうことを防止することができる。また、このような構造を有する揮散器において、用事には吸液部材からカバーを外すか、または、吸液部材における鋭角状に設けられた部位でこのカバーを破断させることで吸液部材を溶液に浸漬させる構成とすることができる。
【００４６】
また、容器を花瓶の形状を有するようにしてもよい。これにより、花形状を模した揮散体をこの容器に取り付けた場合に、揮散器は実際に花が生けてあるような外観を有しているので装飾性がより一層向上する。そして、このような構造の揮散器を居室、トイレ等の室内及び自動車等に配置することで、これらに素敵なアクセントを付与することができると共に、芳香することができる。さらに、容器をスイングボトル形式として、自動車の揺れと共に揮散させたり、容器を小型化して、携帯できるようにしたり、容器を倒立させたりしてもよい。
【実施例】
【００４７】
以下に、本発明の揮散器の作用効果を確認するために行った各試験について説明する。
【００４８】
各試験に使用する揮散体には、表１に示すように、（Ａ）〜（Ｇ）の７種類の織物の揮散体を使用する。ここで、揮散体の厚さとは、ロール状に巻かれた生地の先端縁において、生地の一辺の一端から他端までを任意に１０箇所測定した平均値である。なお、表１の（  ）内に測定値の範囲を示した。
【００４９】
【表１】
2007130439.tif 000003
【００５０】
各試験に使用する溶液は、芳香成分（レモン）３重量％、色素（黄色４号）０．０１重量％、界面活性剤１．０重量％、アルコール系溶媒であるメトキシブタノール２０重量％を含有し、溶媒であるイオン交換水を加えて全体を１００重量％としたものである。
【００５１】
[浸透性・拡散性試験]
本試験では、表１に示した（Ａ）〜（Ｇ）の揮散体を使用した揮散器を１個ずつ用意し、２０℃・６０％ＲＨの試験条件下でのそれぞれの浸透性・拡散性を測定した。ここで、浸透性・拡散性とは、揮散体の広範囲に均一に溶液が浸透・拡散したかを示し、良好なものに「○」を付した。また、揮散体に浸透・拡散した溶液の割合（％）を１日経過後目視にて確認した。結果を表２に示す。
【００５２】
本試験に使用する揮散器は、溶液が１７ｍｌ充填された容量２０ｍｌの容器と、材質がポリプロピレン・ポリエチレン複合繊維で、芯径φ７ｍｍ、長さ７ｃｍ、気孔率約７０％の吸液部材と、総揮散面積６０ｃｍ２の揮散体と、を備えるものである。
【００５３】
【表２】
2007130439.tif 000004
【００５４】
表１及び表２から明らかなように、揮散体（Ａ）〜（Ｇ）を使用したいずれの揮散器においても、揮散体に浸透した溶液の割合が８０％〜１００％であることから、浸透性・拡散性が良好なことがわかった。また、揮散体（Ｂ）〜（Ｆ）を使用した揮散器では、揮散体の厚さを１７５μｍ〜３２０μｍにすることにより揮散体の先端部まで溶液を均一に浸透・拡散できることがわかった。一方、揮散体（Ａ）を使用した揮散器では、揮散体の厚さを１４５μｍ〜１７０μｍにすることにより揮散体の先端部の手前まで溶液を均一に浸透・拡散できることがわかった。なお、揮散体の織物として綾織を採用した場合でも、朱子織とほぼ同様の傾向がみられた。
【００５５】
[揮散持続性試験]
本試験では、表１に示した（Ａ）〜（Ｇ）の揮散体を使用した揮散器を１個ずつ用意し、２０℃・６０％ＲＨの試験条件下でのそれぞれの揮散持続日数を測定した。結果を表３に示す。
【００５６】
【表３】
2007130439.tif 000005
【００５７】
本試験に使用する揮散器は、図１に示した揮散器１０と同様のもので、溶液１２が１３０ｍｌ充填された容器１１と、材質がポリプロピレン・ポリエチレン複合繊維で、芯径φ７ｍｍ、長さ７ｃｍ、気孔率約７０％の吸液部材１３と、総揮散面積３８５ｃｍ２の揮散体１４と、を備えるものである。
【００５８】
表３から明らかなように、揮散体（Ａ）〜（Ｇ）を使用したいずれの揮散器においても、揮散持続日数が１５日以上であることから、揮散持続性が良好なことがわかった。また、揮散体（Ａ）〜（Ｆ）を使用したいずれの揮散器においても、揮散持続日数が３０日以上であることから、揮散持続性が特に良好なことがわかった。なお、揮散体の織物として綾織を採用した場合でも、朱子織とほぼ同様の傾向がみられた。
【００５９】
[シミの付着試験]
本試験では、表１に示した（Ｂ）の揮散体を使用した揮散器を４個用意し、それぞれの揮散器の揮散体を壁面（塩ビクロス、不織布、木、タイル）に接触させて、その接触部を目視により確認した。なお、実験室の室温は２５℃に設定した。また、壁面に全くシミが付かなかったものに「◎」、僅かにシミが付いたものに「○」を付した。結果を表４に示す。
【００６０】
【表４】
2007130439.tif 000006
【００６１】
表４から明らかなように、不織布及び木の壁面と揮散体とを接触させると、壁面に僅かにシミが付いたが、ほとんど目立たず、また、塩ビクロス及びタイルの壁面と揮散体とを接触させると、壁面には全くシミが付かないことがわかった。この効果は、壁面に限らず、カーテン、クロス等であっても同素材のものであればシミは付かないものである。
【００６２】
[芳香持続性試験]
本試験では、表１に示した（Ｄ）の揮散体を使用した揮散器（図１に示したもの）を６個用意し、各揮散器の容器に表５に示した６種類の溶液をそれぞれ収容した。そして、常温（一般的な室温）での長期間の試験に代えて、短期間で効果を確認するために揮散速度が３〜４倍に相当する過酷条件下にて試験を行った。即ち、エアコンの送風条件下（強風条件で送風し、送風口から約２ｍ離れた所）でのそれぞれの芳香持続日数を測定した。試験は３回繰り返して行い、その平均値を求め、結果を図７及び図８に示す。
【００６３】
【表５】
2007130439.tif 000007
【００６４】
図７から明らかなように、溶液Ａの芳香持続期間が溶液Ｄの約１．８倍で、溶液Ｂ，Ｃの芳香持続期間が溶液Ｄの約１．５倍であることから、プロピレングリコールを配合することにより芳香持続期間を延長することができると共に、芳香持続期間を調節することができるとわかった。これにより、目標とする芳香持続期間を有する揮散器を提供することが可能となる。また、プロピレングリコールを配合することで揮散の推移も直線的になるので、一定の芳香を安定して持続して提供でき、芳香成分を含有する揮散器の性質として好ましい。
【００６５】
図８から明らかなように、溶液Ｅの芳香持続期間が溶液Ｄの約１．５倍で、溶液Ｆの芳香持続期間が溶液Ｄの約１．３倍であることから、ジプロピレングリコールメチルエーテルを配合することにより芳香持続期間を延長することができると共に、芳香持続期間を調節することができるとわかった。これにより、目標とする芳香持続期間を有する揮散器を提供することが可能となる。
【図面の簡単な説明】
【００６６】
【図１】本発明に係る揮散器の第１実施形態を説明するための正面図である。
【図２】図１に示す揮散体の組織図である。
【図３】揮散体の第１変形例を示す組織図である。
【図４】揮散体の第２変形例を示す組織図である。
【図５】本発明に係る揮散器の第２実施形態を説明するための斜視図である。
【図６】本発明に係る揮散器の第３実施形態を説明するための正面図である。
【図７】プロピレングリコールを含有する溶液が収容される揮散器の芳香持続性試験の結果を表すグラフ図である。
【図８】ジプロピレングリコールメチルエーテルを含有する溶液が収容される揮散器の芳香持続性試験の結果を表すグラフ図である。
【符号の説明】
【００６７】
１０，２０，３０    揮散器
１１                容器
１２                溶液
１３                吸液部材
１４                揮散体（花形状）
１５                キャップ
１６                着色部
１７                花弁部
１８                葉部
２１                横糸
２２                縦糸
２３                筒部
【図１】
2007130439.tif 000008
【図２】
2007130439.tif 000009
【図３】
2007130439.tif 000010
【図４】
2007130439.tif 000011
【図５】
2007130439.tif 000012
【図６】
2007130439.tif 000013
【図７】
2007130439.tif 000014
【図８】
2007130439.tif 000015